(57)【要約】【課題】文字等を含む映像を表示する場合であっても、ユーザの目線の位置から見やすい映像を表示することができるテーブル型立体表示装置を提供すること。【解決手段】立体表示装置１では、入力された映像３を、第１端部から当該第１端部に対向する第２端部に向かうにつれて、連続的に視差が変化する映像に変換することを特徴としている。そして、変換された映像３は、表示画面２に表示される。【選択図】図１
2013232774.tif 000002
【特許請求の範囲】
【請求項１】
入力映像を、第１端部から前記第１端部に対向する第２端部に向かうにつれて、連続的に視差が変化する立体映像に変換する画像変換手段と、
前記立体映像を表示する立体表示手段とを備えていることを特徴とするテーブル型立体表示装置。
【請求項２】
前記画像変換手段は、前記入力映像を、前記第１端部から前記第２端部に向かうにつれて、連続的に交差性視差が大きくなる前記立体映像に変換することを特徴とする請求項１に記載のテーブル型立体表示装置。
【請求項３】
前記画像変換手段は、前記入力映像を、前記第１端部と前記第２端部との中央部分には視差がなく、前記中央部分から前記第１端部に向かうにつれて連続的に同側性視差が大きくなり、前記中央部分から前記第２端部に向かうにつれて連続的に交差性視差が大きくなる前記立体映像に変換することを特徴とする請求項１に記載のテーブル型立体表示装置。
【請求項４】
請求項１〜３のいずれか１項に記載のテーブル型立体表示装置を備える情報入出力装置。
【請求項５】
請求項４に記載の情報入出力装置を備える情報入出力システム。
【発明の詳細な説明】
【技術分野】
【０００１】
本発明は、テーブル上に立体映像を表示するためのテーブル型立体表示装置、および当該テーブル型立体表示装置を備える情報入出力装置、ならびに当該情報入出力装置を備える情報入出力システムに関する。
【背景技術】
【０００２】
近年では、小スペースで大画面の表示を行うために、テーブル面を表示画面としたテーブル型表示装置が提案されている。このようなテーブル型表示装置は、公共の場の待合室、喫茶店、およびバー等において用いられている。テーブル型表示装置は、数人が略等距離の位置から表示画面を視認することができ、視認性が良好であるという利点がある。
【０００３】
最近ではテーブル型表示装置で立体映像を表示するものも増えている。例えば、特許文献１には、立体映像を表示する立体表示部と２次元映像を表示する２次元表示部とを備え、２次元表示部に、立体表示部で表示している立体映像に関する情報を表示するテーブル型立体表示装置が開示されている。これにより、立体表示部で表示されている立体映像の物体形状の把握に役立つより多くの情報を分かりやすくユーザに提示することによって、従来技術に比べてユーザが立体映像の物体形状をより直感的に把握しやすくなる。
【０００４】
しかし、上述した特許文献１に記載のテーブル型立体表示装置では、表示する立体映像が立体形状を有している場合は視認しやすいが、表示する立体映像が文字等を含む映像である場合は以下の問題点がある。これについて、図４を参照して説明する。図４の（ａ）は、従来のテーブル型立体表示装置の斜視図であり、（ｂ）は、従来のテーブル型立体表示装置の上面図である。
【０００５】
図４（ａ）に示すように、テーブル型立体表示装置１１を用いてテーブル面上の表示画面１２に文字等を含む映像１３を立体表示する場合、当該映像１３を見るユーザ１４は、椅子等に座ってテーブル型立体表示装置１１の斜め上から映像１３を見ることになる。そのため、図４（ｂ）に示すように、映像１３の上下方向において、映像１３の下側ほどユーザ１４に近くなり、映像１３の上側ほどユーザ１４から遠ざかる。すなわち、ユーザ１４は表示された映像１３の下側はよく見えるが、上側は下側に比べて見難くなる。したがって、表示する映像１３が文字等を含む映像である場合（例えば、新聞紙等）、映像１３の上側にある文字等の判別が難しくなる。これは、映像１３が二次元映像である場合も同様の問題が生じる。
【０００６】
そこで、特許文献２には、ユーザが映像を斜め方向から観察する場合であっても、ユーザが見やすい映像を表示するための工夫が開示されている。特許文献２には、画像データに対して、画像の下部から上部に向けて広がる逆台形補正を施した補正画像をテーブル上に投影する画像投影装置が開示されている。これにより、投影される画像は下方側よりも上方側の方がより拡大され、ユーザにとって投影画像全体が見かけ上、歪みの少ない正立像となり見やすくなる、という利点を有する。
【先行技術文献】
【特許文献】
【０００７】
【特許文献１】特開２００９−２７８４５６号公報（２００９年１１月２６日公開）
【特許文献２】特開２０１０−２１９２９号公報（２０１０年１月２８日公開）
【発明の概要】
【発明が解決しようとする課題】
【０００８】
しかしながら、特許文献２に記載の画像投影装置を用いたとしても、テーブル上に投影した画像の上方側を見るためにはユーザが覗き込む必要があり、画像の見やすさは十分ではない。ユーザが覗き込む等しなくても、ユーザの目線の位置から画像を十分に視認できるようなテーブル型表示装置が望まれる。
【０００９】
そこで、本発明は上記の課題に鑑みてなされたものであり、その目的は、文字等を含む映像を表示する場合であっても、ユーザの目線の位置からでも見やすい映像を表示することができるテーブル型立体表示装置、および当該テーブル型立体表示装置を備える情報入出力装置、ならびに当該情報入出力装置を備える情報入出力システムを提供することになる。
【課題を解決するための手段】
【００１０】
本発明に係るテーブル型立体表示装置は、上記の課題を解決するために、入力映像を、第１端部から前記第１端部に対向する第２端部に向かうにつれて、連続的に視差が変化する立体映像に変換する画像変換手段と、前記立体映像を表示する立体表示手段とを備えていることを特徴としている。
【００１１】
上記の構成によれば、入力された映像を表示する場合、画像変換手段によって、入力映像を、第１端部から第２端部に向かうにつれて、連続的に視差が変化する立体映像に変換している。このように変換された立体映像を立体表示手段に表示すると、立体映像のいずれか一方の端部が浮き上がって見えるため、立体映像における一方の端部を見るためにユーザが立体表示手段を覗き込む必要はなく、ユーザの目線の位置から立体映像を十分に視認できる。特に、入力された映像が新聞や書籍等、文字等を含む映像である場合でも隅々まで見やすくなる。
【００１２】
また、立体映像における一方の端部を浮き上がって見えるため、普段ユーザが新聞や書籍等を手で持って斜めにして見ている状態に近づけることができる。したがって、ユーザにとって普段慣れている状態であって、見やすい状態を実現することができる。
【００１３】
また、本発明に係るテーブル型立体表示装置においては、前記画像変換手段は、前記入力映像を、前記第１端部から前記第２端部に向かうにつれて、連続的に交差性視差が大きくなる前記立体映像に変換することを特徴としている。
【００１４】
上記の構成によれば、立体表示手段と同じ面上に立体映像の第１端部が位置している状態で、立体映像の第１端部を支点として、第２端部が浮かび上がって見えるように立体表示している。そのため、ユーザが立体表示手段に表示された立体映像を見ると、立体映像の第２端部が浮き上がって見えるため、立体映像の第２端部側を見るためにユーザが立体表示手段を覗き込む必要はなく、ユーザの目線の位置から立体映像を十分に視認できる。
【００１５】
また、本発明に係るテーブル型立体表示装置においては、前記画像変換手段は、前記入力映像を、前記第１端部と前記第２端部との中央部分には視差がなく、前記中央部分から前記第１端部に向かうにつれて連続的に同側性視差が大きくなり、前記中央部分から前記第２端部に向かうにつれて連続的に交差性視差が大きくなる前記立体映像に変換することを特徴としている。
【００１６】
上記の構成によれば、映像の中央部分から第１端部に向かうにつれて同側性視差を連続的に大きくさせ、映像の中央部分から第２端部に向かうにつれて交差性視差を連続的に大きくさせることによって、映像の中央部分を支点にして、第１端部が奥側に下がり、第２端部が浮かび上がって見えるように立体表示している。そのため、ユーザが立体表示手段に表示された立体映像を見ると、立体映像の第２端部が浮き上がって見えるため、立体映像の第２端部側を見るためにユーザが立体表示手段を覗き込む必要はなく、ユーザの目線の位置から立体映像を十分に視認できる。
【００１７】
なお、上述したテーブル型立体表示装置は、情報入出力装置に搭載してもよく、当該情報入出力装置を備える情報入出力システムも、本発明の範疇に入る。
【発明の効果】
【００１８】
本発明によれば、画像変換によって得られる立体映像を立体表示手段で見ると、立体映像のいずれか一方の端部が浮き上がって見えるため、立体映像における一方の端部を見るためにユーザが立体表示手段を覗き込む必要はなく、ユーザの目線の位置から立体映像を十分に視認できる。また、立体映像における一方の端部を浮き上がって見えるため、普段ユーザが新聞や書籍等を手で持って斜めにして見ている状態に近づけることができる。したがって、ユーザにとって普段慣れている状態であって、見やすい状態を実現することができる。
【図面の簡単な説明】
【００１９】
【図１】本発明の一実施形態に係るテーブル型立体表示装置の側面図である。
【図２】（ａ）は、本発明の一実施形態に係るテーブル型立体表示装置の斜視図であり、（ｂ）は、本発明の一実施形態に係るテーブル型立体表示装置の上面図である。
【図３】本発明の他の実施形態に係るテーブル型立体表示装置の側面図である。
【図４】（ａ）は、従来のテーブル型立体表示装置の斜視図であり、（ｂ）は、従来のテーブル型立体表示装置の上面図である。
【発明を実施するための形態】
【００２０】
本発明を以下の実施の形態により詳細に説明する。なお、以下の説明においては、同一の機能および作用を示す部材については、同一の符号を付し、説明を省略する。
【００２１】
〔第１の実施形態〕
（テーブル型立体表示装置）
本実施形態に係るテーブル型立体表示装置を図２に示す。図２の（ａ）は、本実施形態に係るテーブル型立体表示装置１の斜視図であり、（ｂ）は、本実施形態に係るテーブル型立体表示装置１の上面図である。
【００２２】
図２（ａ）に示すように、本実施形態に係るテーブル型立体表示装置１は、テーブルＰＣ等のテーブル型をした立体表示装置であり、テーブル面が、テーブル型立体表示装置１に入力された映像３を表示する表示画面２（立体表示手段）となっている。テーブル型立体表示装置１では、表示画面２に二次元映像および三次元映像のいずれも表示できるが、三次元映像や二次元映像を表示する際にはユーザ４が見やすいように当該映像を立体表示している。
【００２３】
具体的には、例えば新聞紙等の映像３（三次元映像あるいは二次元映像）を表示する場合、映像３のユーザ４側の端部（以下、第１端部と称す）から、ユーザ４とは反対側の端部（第２端部）に向かうにつれて、連続的に視差を変化させている。より詳細には、図示しない画像変換手段が映像３に対して画像変換処理を行い、視差が連続的に変化する映像に変換している。このように画像変換処理が施された映像３を表示画面２に表示すると、映像３のユーザ４側の端部（以下、第１端部と称す）から、ユーザ４とは反対側の端部（以下、第２端部と称す）にかけて、映像３が浮かび上がるような立体表示となる。視差の連続的な変化のさせ方（すなわち、立体表示の仕方）には特に限定はない。以下では、映像３の第１端部を支点として、第２端部が角度αだけ浮かび上がって見えるように立体表示する場合を例に挙げて説明する。
【００２４】
映像３の第１端部を支点として、第２端部が角度αだけ浮かび上がって見えるように立体表示する場合、映像３の第１端部は、表示画面２と同じ面上に位置している。そのため、ユーザ４が椅子に座って表示画面２に表示された映像３を見ると、図２（ｂ）に示すように、映像３の第２端部が浮き上がって見えるため、映像３の第２端部側を見るためにユーザ４が表示画面２を覗き込む必要はなく、ユーザ４の目線の位置から映像３を十分に視認できる。特に、入力された映像３が新聞や書籍等、文字等を含む映像である場合でも隅々まで見やすくなる。
【００２５】
また、映像３の第２端部を浮き上がって見えるため、普段ユーザ４が新聞や書籍等を手で持って斜めにして見ている状態に近づけることができる。したがって、ユーザ４にとって普段慣れている状態であって、見やすい状態を実現することができる。
【００２６】
（立体表示）
テーブル型立体表示装置１の側面図を図１に示す。図１に示すように、立体表示装置１では、入力された映像３を表示する場合、映像３の第１端部を支点にして、第２端部が角度αだけ浮かび上がって見えるように立体表示している。具体的には、交差性視差を利用して立体表示を行っており、映像３の第２端部に向かうにつれて右眼と左眼との交差性視差が連続的に大きくなるようにしている。交差性視差とは、左眼映像を右側に表示し、右眼映像を左側に表示したときに、ユーザ４の視線が交差することによって生じる視差である。ユーザ４の視線が交差する位置は表示画面２よりも手前（ユーザ４の両眼と表示画面２との間）であり、ユーザ４の視線が交差する位置にユーザ４は表示された映像を認識する。上記の交差性視差が大きくなるほど、ユーザ４の視線が交差する位置はユーザ４の両眼に近くなる。そのため、映像３の第２端部に向かうにつれて、映像３が表示画面２から浮き上がっているように見える。このようにして、映像３を立体表示している。
【００２７】
なお、角度αとは、所定の範囲内（例えば、０°＜α≦９０°）で任意に設定できる角度であり、特に限定はない。ユーザ４にとって映像３を見やすい状態に合わせて、角度αの大きさを任意に設定すればよい。
【００２８】
〔第２の実施形態〕
第１の実施形態に係るテーブル型立体表示装置１では、映像３の第１端部を支点にして、第２端部が角度αだけ浮かび上がって見えるように立体表示しているが、必ずしもこれに限定されるわけではない。そこで本実施形態では、第１の実施形態とは異なる立体表示の仕方を提案する。なお、以下では第１の実施形態とは異なる立体表示の仕方についてのみ説明し、それ以外の構成は第１の実施形態と同様であるため、その説明は省略する。
【００２９】
本実施形態に係るテーブル型立体表示装置の側面図を図３に示す。図３に示すように、立体表示装置１´では、入力された映像３´を表示する場合、映像３´のユーザ４´側の端部（以下、第１´端部と称す）と、ユーザ４´とは反対側の端部（以下、第２´端部と称す）との中央部分を支点にして、第１´端部が奥側に下がり、第２´端部が浮かび上がって見えるように立体表示している。具体的には、同側性視差ならびに交差性視差を利用して立体表示を行っており、映像３´の第１´端部に向かうにつれて右眼と左眼との同側性視差が連続的に大きくなるようにし、第２´端部に向かうにつれて右眼と左眼との交差性視差が連続的に大きくなるようにしている。同側性視差とは、左眼映像を左側に表示し、右眼映像を右側に表示したときに、ユーザ４´の視線が交差することによって生じる視差である。ユーザ４´の視線が交差する位置は表示画面２´（立体表示部）よりも奥側（表示画面２´に対してユーザ４´の両眼とは反対側）であり、ユーザ４´の視線が交差する位置にユーザ４´は表示された映像を認識する。上記の同側性視差が大きくなるほど、ユーザ４´の視線が交差する位置は表示画面２´のより奥側になる。そのため、映像３´の第１´端部に向かうにつれて、映像３´が表示画面２の奥側に下がっているように見える。
【００３０】
第２´端部に関しては、第１の実施形態と同様に、映像３´の第２´端部に向かうにつれて、映像３´が表示画面２´から浮き上がっているように見える。したがって、第１´端部と第２´端部との中央部分は、視差がない。視差がないということは、すなわち第１´端部と第２´端部との中央部分では、左眼映像と右眼映像とを同じ位置に表示している。この場合、ユーザ４´の視線は表示画面２´で交差し、表示された映像を表示画面２´上に認識する。このようにして、映像３´の中央部分から第１´端部に向かうにつれて同側性視差を連続的に大きくさせ、映像３´の中央部分から第２´端部に向かうにつれて交差性視差を連続的に大きくさせることによって、映像３´の第１´端部と第２´端部との中央部分を支点にして、第１´端部が奥側に下がり、第２´端部が浮かび上がって見えるように映像３´を立体表示している。なお、映像３´の傾きについては特に言及していないが、第１の実施形態と同様に、映像３´の傾きには特に限定はなく、ユーザ４´にとって映像３´を見やすい状態に合わせて、映像３´が傾く角度を任意に設定すればよい。
【００３１】
上述したように、立体表示の仕方（すなわち、映像３´の浮かび上がり方）には特に限定はない。例えば、本実施形態では第１´端部と第２´端部との中央部分の視差をゼロにしたが、中央以外の部分の視差をゼロにしてもよい。ユーザ４´にとって映像３´を見やすい状態に合わせて、視差をゼロにする部分を任意に設定すればよい。
【００３２】
本発明は、上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００３３】
例えば、上述したいずれかの実施形態に記載したテーブル型立体表示装置を備えた情報入出力装置、あるいは当該情報入出力装置を備えた情報入出力システムを実現することも可能である。したがって、テーブル型立体表示装置で立体映像を表示しつつ、当該テーブル型立体表示装置にタッチパネルあるいはキーボード等の入力手段を設け、情報を入出力できる装置、あるいは当該装置を備えるシステムとしてもよい。
【産業上の利用可能性】
【００３４】
本発明に係るテーブル型立体表示装置は、公共の場の待合室、喫茶店、およびバー等で用いるテーブルとして使用することができる。
【符号の説明】
【００３５】
１、１´、１１  テーブル型立体表示装置
２、２´、１２  表示画面
３、３´、１３  映像
４、４´、１４  ユーザ
【図１】
2013232774.tif 000003
【図２】
2013232774.tif 000004
【図３】
2013232774.tif 000005
【図４】
2013232774.tif 000006